(57)【要約】【課題】  通気性、着用感およびデザイン性に優れた伸縮経編地を提供する。【解決手段】  ジャカード基本組織の各非弾性糸１，２とアンダーラップ方向が同方向となる位置で、一方のアンダーラップ方向の各弾性糸３と、他方のアンダーラップ方向の各弾性糸４とが、コース毎に交互に挿入され、各ウェルに平行な経方向および各コースに平行な緯方向に伸縮可能な伸縮組織と、緯方向に伸縮性のない非伸縮組織とを備える。【選択図】      図１
2015196911.tif 000002
【特許請求の範囲】
【請求項１】
複数の非弾性糸をジャカード編みして編成される基本組織と、前記基本組織の各非弾性糸に編込まれた複数の弾性糸によって編成される伸縮組織とを有する伸縮経編地であって、
前記基本組織は、各非弾性糸が、アンダーラップ方向を交互に逆方向にして編成されて、各非弾性糸のコース方向に隣接する部分が互いに連結した連結部を有し、
前記伸縮組織は、前記基本組織の各非弾性糸とアンダーラップ方向が同方向となるように、一方のアンダーラップ方向にアンダーラップした各弾性糸と、他方のアンダーラップ方向にアンダーラップした各弾性糸とが、各コースに交互に挿入されて成ることを特徴とする伸縮経編地。
【請求項２】
前記基本組織は、ウェル方向およびコース方向に、複数の孔部が形成されるネット構造の変化組織を有することを特徴とする請求項１に記載の伸縮経編地。
【請求項３】
前記基本組織には、吸湿性を有する機能性糸が挿入または編込まれていることを特徴とする請求項１または２に記載の伸縮経編地。
【請求項４】
前記基本組織および前記伸縮組織は、同一の編針上に編成された抜き糸部と、前記抜き糸部の両側に形成される耳部とを有することを特徴とする請求項１〜３のいずれか１つに記載の伸縮経編地。
【発明の詳細な説明】
【技術分野】
【０００１】
本発明は、体型補整機能または筋肉サポート機能を有する衣類用の生地として好適に実施することができる伸縮経編地に関する。
【背景技術】
【０００２】
第１の従来技術では、伸縮経編地を使用し、縫製によって製品化される、ガードル、ショーツ、ボディスーツ、ブラジャー、スパッツ、スポーツ用タイツなどの衣類は、体型補整機能または筋肉サポート機能を付与するため、サポート力を高めたい部分には、当て布や樹脂テープを、生地の裏側または表側から縫着し、または接着する手法で製造されている。
【０００３】
また、第２の従来技術では、特許文献１に記載されるように、弾力性のある合成樹脂液を生地に塗布して、部分的にサポート力を高める手法も提案されている。
【０００４】
また、第３の従来技術では、特許文献２に記載されるように、サポート力と高めたい部分を、ジャカード組織の変化によって機能を付加する手法も提案されている。
【先行技術文献】
【特許文献】
【０００５】
【特許文献１】国際公開第２００６／１２１０１０号
【特許文献２】特開２０００−８２０３号公報
【発明の概要】
【発明が解決しようとする課題】
【０００６】
第１の従来技術では、当て布や樹脂テープによってサポート力を高めているので、当て布や樹脂テープが貼られた部分と生地の部分との境界に厚みの違いよって段差が生じ、衣類の外側から段差が見えてしまい、美観が低下するという問題がある。また、当て布や樹脂テープが生地に重なる部分は、厚みが大きくなり、通気性が悪く、蒸れやすいという問題がある。
【０００７】
第２の従来技術では、合成樹脂液を生地に塗布するので、合成樹脂の塗膜が編目を塞いでしまい、通気性が悪く、第１の従来技術と同様に、蒸れやすいという問題がある。また、合成樹脂塗膜が直接肌に触れると、着用感が低下してしまうという問題がある。
【０００８】
第３の従来技術では、編成時にジャカード組織を変化させてサポート力を高めた部分を形成しているので、ジャカード組織が厚手となって密度が高い生地となり、通気性が悪く、蒸れやすいという問題がある。また、高いデザイン性が要求される女性用下着など衣類に用いた場合には、密度が高く厚みのあるサポートライン部分を構成することになるので、女性が求める優しさや美しさといった女性下着としてのデザイン性に劣り、高い商品品位を実現することができないという問題がある。
【０００９】
本発明の目的は、上記の技術的課題を解決し、通気性、着用感およびデザイン性に優れた伸縮経編地を提供することである。
【課題を解決するための手段】
【００１０】
本発明は、複数の非弾性糸をジャカード編みして編成される基本組織と、前記基本組織の各非弾性糸に編込まれた複数の弾性糸によって編成される伸縮組織とを有する伸縮経編地であって、
前記基本組織は、各非弾性糸が、アンダーラップ方向を交互に逆方向にして編成されて、各非弾性糸のコース方向に隣接する部分が互いに連結した連結部を有し、
前記伸縮組織は、前記基本組織の各非弾性糸とアンダーラップ方向が同方向となるように、一方のアンダーラップ方向にアンダーラップした各弾性糸と、他方のアンダーラップ方向にアンダーラップした各弾性糸とが、各コースに交互に挿入されて成ることを特徴とする伸縮経編地である。
【００１１】
また本発明は、前記基本組織は、ウェル方向およびコース方向に、複数の孔部が形成されるネット構造の変化組織を有することを特徴とする。
【００１２】
また本発明は、前記基本組織には、吸湿性を有する機能性糸が挿入または編込まれていることを特徴とする。
【００１３】
また本発明は、前記基本組織および前記伸縮組織は、同一の編針上に編成された抜き糸部と、前記抜き糸部の両側に形成される耳部とを有することを特徴とする。
【発明の効果】
【００１４】
本発明によれば、女性用下着およびスポーツ用インナーウェアなどの衣類において、部分的に体型補整機能または筋肉サポート機能などのサポート力を高める機能を付加した伸縮経編地において、厚みを増加させずに、サポート力を高める部分の通気性、着用感およびデザイン性の向上された伸縮経編地を実現することができる。
【図面の簡単な説明】
【００１５】
【図１】本発明に一実施形態の伸縮経編地のアンダーラップ方向が逆方向のジャカード基本組織および弾性組織を個別的に示す組織図である。
【図２】図１に示されるジャカード基本組織と弾性組織とが編機にセットされた状態を示す組織図である。
【図３】格子状のネット構造のジャカード変化組織を示す図である。
【図４】別パターンの格子状のネット構造のジャカード変化組織を示す図である。
【図５】別パターンの格子状のネット構造のジャカード変化組織を示す図である。
【図６】図３の弾性組織の編成後の変化を示す図である。
【図７】図４の弾性組織の編成後の変化を示す図である。
【図８】図５の弾性組織の編成後の変化を示す図である。
【図９】連結部が市松状のジャカード変化組織を示す図である。
【図１０】別パターンの連結部が市松状のジャカード変化組織を示す図である。
【図１１】図９の弾性組織の編成後の変化を示す図である。
【図１２】図１１に示されるジャカード変化組織が緯方向に伸びた状態を示す図である。
【発明を実施するための形態】
【００１６】
図１は、本発明の一実施形態の伸縮経編地のアンダーラップ方向が逆方向のジャカード基本組織および弾性組織を個別に示す組織図であり、図２は、図１に示されるジャカード基本組織と弾性組織とが編機にセットされた状態を示す組織図である。ジャカード編によって非弾性糸が編成され、地組織に弾性糸が挿入される体型補整機能または筋肉サポート機能を有する衣類用の伸縮経編地の組織において、２つのジャカード筬ＪＢ１−１，ＪＢ１−２によって、アンダーラップ方向が互いに逆方向の２種類の動きの非弾性糸１，２によって構成されるジャカード基本組織が、ウェル方向に交互に配置される。
【００１７】
また、通常の筬ＧＢ２，ＧＢ３によって、アンダーラップ方向が互いに逆方向の２種類の動きとなるコース毎に１針振りの弾性糸３，４を、前記ジャカード基本組織が変位して形成される変化ネット構造の連結部でアンダーラップ方向が同方向となる位置で、非弾性糸１が第１のコースでループを形成する針列に一方の弾性糸３を挿入し、第１のコースに隣接するを第２のコースでループを形成する針列に他方の弾性糸４が挿入される。すなわち、非弾性糸１が偶数コースで１針左に変化した位置でアンダーラップが同一方向になるように弾性糸３が挿入され、また非弾性糸２が奇数コースで１針左に変化した位置でアンダーラップが同一方向になるように弾性糸４が挿入されることとなる。
【００１８】
非弾性糸１，２としては、ナイロン、ポリエステルなどの合成繊維、レーヨン、アセテートなどの再生繊維、木綿、絹などの天然繊維を、ジャカード、経編地の用途、要求性能などに合わせて適宜選択して用いることができる。
【００１９】
弾性糸３，４としては、ポリウレタンなどの弾性繊維から成るものを、ジャカード経編地の用途、要求性能などに合わせて適宜選択して用いることができる。弾性糸を芯糸とし、この芯糸に非弾性糸から成るカバーリング糸を巻回して被覆したスパンデックス糸、非弾性繊維と弾性繊維とを組合せた複合糸が用いられてもよい。
【００２０】
ジャカード編成繊維に用いられる非弾性糸１，２の太さは１６〜２３５ｄｔｅｘ、また弾性糸３，４の太さは２２〜７００ｄｔｅｘの範囲に選ばれ、好ましくは非弾性糸１，２の太さは４４〜１５６ｄｔｅｘ、また弾性糸３，４の太さは７８〜４７０ｄｔｅｘの範囲に選択される。
【００２１】
ジャカード編成組織から成る地組織は、いずれも１イン１アウトで交互に配置された２枚のジャカード筬ＪＢ１−１，ＪＢ１−２によって編成される編成糸である非弾性糸１，２によって構成される。非弾性糸１，２は、すべてのコースでループを形成し、すべての編目位置に、いずれか一方編成糸によってループが形成され、ジャカード編成組織だけによって構成されている。
【００２２】
２枚のジャカード筬ＪＢ１−１，ＪＢ１−２のうち、一方のジャカード筬ＪＢ１−１に非弾性糸１が糸通しされ、他方のジャカード筬ＪＢ１−２には、非弾性糸２が糸通しされる。一方のジャカード筬ＪＢ１−１と他方の一方のジャカード筬ＪＢ１−２とは、個々にコース毎に、編目位置の変位および非変位を、すべての編目位置に、いずれか一方のジャカード筬ＪＢ１−１またはＪＢ１−２がループを形成するように互いに関連させて動作するように、ジャカード装置が設定されている。
【００２３】
一方のジャカード筬ＪＢ１−１と他方のジャカード筬ＪＢ１−２とは、１ゲージずれており、互いにループが重なる部分があるため、基本動作だけで経編地を編成することはできない。したがって、ジャカード柄組織を形成しない地の部分であるジャカード基本組織およびジャカード柄組織の部分であるジャカード変化組織のいずれについても、各ジャカード筬ＪＢ１−１，ＪＢ１−２の編成動作に、弾性糸３，４が糸通しされた通常の筬ＧＢ２，ＧＢ３の編成動作を行うように、ジャカード装置に条件を基本動作からの変化として設定することによって、本発明に従う伸縮経編地を編成することができる。
【００２４】
このようなジャカード編成組織において、ジャカード基本組織を変化させることによって、経方向および緯方向に伸縮可能な伸縮組織と、緯方向に伸縮性のない非伸縮組織、すなわち高いサポート力を有する部分とが存在する生地が実現される。
【００２５】
図３、図４および図５は格子状のネット構造のジャカード変化組織である３つのパターンを示す図である。緯方向に伸びのない、サポート力が高い領域の組織構造は、非弾性糸１，２によって、孔部５が経方向と緯方向とに並んだ格子状のネット構造となるジャカード変化組織が形成される。
【００２６】
非弾性糸１，２の経方向に連続するニードルループの列の複数本を非弾性糸１，２自身で連結することによって、１本の柱状の連結部６が形成され、格子の経方向の仕切りとなる。複数の連結部６に対して経方向に任意に一定の間隔、たとえば３コースまたはそれ以上の間隔ΔＬで非弾性糸１，２を掛け渡しして、格子の緯方向の仕切りとなり、格子状のネット組織が形成される。
【００２７】
図６〜図８は図３〜図５の弾性組織の編成後の変化を示す図である。格子状のネット組織の経方向の柱部に挿入されるアンダーラップ方向の異なる２本の弾性糸３，４は、２本とも、それぞれの非弾性糸１，２に対してコース毎に１針振りで緯方向に目移ししている。本来、生地がリラックスしたとき、弾性糸が非弾性糸を緯方向に引き寄せる力が働き、生地に緯方向の伸縮性が付与される。
【００２８】
しかし、本実施形態の伸縮経編地では、非弾性糸１，２と弾性糸３，４との関係では、アンダーラップ方向が同方向であるので、イベージョンラップ、すなわち挿入糸がループ組織を回避して糸の上下が入れ換わる現象が起こり、コース毎に１針振りの弾性糸３，４が、非弾性糸１，２の動きを回避し、一方の針間を経方向に真っ直ぐに通過するので、生地のリラックス状態においても、弾性糸３，４が非弾性糸１，２を引寄せることはなく、緯方向においては、弾性糸３，４を使用していない生地と同じ状態であり、全く緯方向に横伸びしない生地となる。
【００２９】
図９および図１０は連結部が市松状のジャカード変化組織の２つのパターンを示す図である。経方向および緯方向に伸びのよい部分の組織には、非弾性糸１，２の編目列と編目列とを繋ぐ連結部６および連結部６間の孔部５が市松状、すなわち経方向および緯方向に交互に配設されるネット構成のジャカード変化組織が形成される。
【００３０】
図１１は、図９の弾性組織の編成後の変化を示す図である。図１２は、その生地を緯方向に広げた時の状態を示す図である。経方向および緯方向の伸びのよい部分の組織には、非弾性糸１，２の編目列と編目列とを繋ぐ連結部６および各連結部６間の孔部５が市松状に配置されたネット構成のジャカード変化組織が形成される。
【００３１】
孔部５が市松状に配置された組織では、コース毎に１針振りの経方向に挿入される弾性糸３または４が、イベージョンラップ現象によって、市松状にずれて配置された孔部５の経方向における上限と下限とを境として、一定のコース間隔ΔＬ毎に左右で異なるゲージ間を移動する構造となる。
【００３２】
この状態で、緯方向の張力が作用すると、弾性糸３，４は、一定の間隔ΔＬをあけてコース毎に左右に蛇行するように伸びることによって、生地を緯方向に広げることができる。また、生地が緯方向に広がった状態では、各弾性糸３，４は、自身の弾性回復力によって縮もうとするため、前述の緯方向への張力を解除することによって、生地を元の状態に復元させることができる。
【００３３】
以上のように本実施形態によれば、ジャカード基本組織の各非弾性糸１，２とアンダーラップ方向が同方向となる位置で、一方のアンダーラップ方向の各弾性糸３と、他方のアンダーラップ方向の各弾性糸４とが、コース毎に交互に挿入され、各ウェルに平行な経方向および各コースに平行な緯方向に伸縮可能な伸縮組織と、緯方向に伸縮性を有していない非伸縮組織とを備えるので、伸縮性の経編地本来の経方向および緯方向に伸縮性の高い領域と、緯方向に伸縮性のないサポート力の高い領域とを形成し、通気性が高く、体型補整機能または筋肉サポート機能を有する伸縮経編地を実現することができる。
【符号の説明】
【００３４】
１，２  非弾性糸
３，４  弾性糸
５  孔部
６  連結部
【図１】
2015196911.tif 000003
【図２】
2015196911.tif 000004
【図３】
2015196911.tif 000005
【図４】
2015196911.tif 000006
【図５】
2015196911.tif 000007
【図６】
2015196911.tif 000008
【図７】
2015196911.tif 000009
【図８】
2015196911.tif 000010
【図９】
2015196911.tif 000011
【図１０】
2015196911.tif 000012
【図１１】
2015196911.tif 000013
【図１２】
2015196911.tif 000014